(57)【特許請求の範囲】
【請求項１】
電気錠における取り付け座の蓋体用開口部にシリンダ錠をカバーする蓋体を備えた電気錠用取り付け座に於いて、前記蓋体用開口部を区画する水平方向の一方の蓋体用案内隔壁に対して所要間隔を有して対向する水平支持壁と、該水平支持壁及び前記蓋体用案内隔壁に直交する左右側壁とから構成された収納部に蓋体と係合する係合部を有するロック片を横方向に内装し、該ロック片はその基端部が前記収納部に横設した支軸に軸支されていると共に、前記係合部が前記水平支持壁に支持された内装バネのバネ力により前記蓋体の水平側壁側の係合部分に係合し、さらに、前記左右側壁の少なくとも一方には、前記ロック片の受け面の位置に対応する操作具用開口部分が形成されている電気錠用取り付け座。
【請求項２】
テンキー入力式、カード宛がい式、指紋照合式等の電気錠における取り付け座の開口部にシリンダ錠をカバーする蓋体を備えた電気錠用取り付け座に於いて、取り付け座に蓋体をロックする係合突起を有するロック片を内装し、一方、取り付け座の壁に開口部分を設け、該開口部分に操作具の挿入端部を差し込んでかつ前記ロック片の受け面を押し込むと、前記係合突起はロックを解消する方向へと位置変位することを特徴とする電気錠用取り付け座。
【請求項３】
請求項２に於いて、ロック片は、その一端部が軸支され、一方、他端部に係合突起が形成され、該係合突起が蓋体の被係合部に常時係合するように内装バネにより付勢されていることを特徴とする電気錠用取り付け座。
【請求項４】
請求項２に於いて、ロック片は、取り付け座に形成した収納部に横状態に組み込まれ、その左右両端部には、操作具の挿入端部が当たる受け面が形成され、これら受け面の位置に対応して、取り付け座の左右の壁に開口部分が形成されていることを特徴とする電気錠用取り付け座。
【発明の詳細な説明】
【技術分野】
【０００１】
本発明は、電気錠用取り付け座に関し、例えばテンキー入力式、カード宛がい式、指紋照合式等の認証システム用電気錠における取り付け座に関する。
【背景技術】
【０００２】
図１４は従来の電気錠Ｘにおける取付け座の一例を示す概略説明図である。図１４に於いて、１は扉枠、２は扉、２ａは扉の自由端部側の壁（例えば住宅玄関、ホテルの部屋等の室外から見た外壁面）、３は扉枠側に設けた受け金具、４はデッドボルト、５はラッチである。
【０００３】
また、６は電気錠Ｘ用の「長座」と称される取り付け座、７は取付け座６の下端部側に設けたレバーハンドル、８は取付け座６の中央部に設けられた非常時用シリンダ錠、９は解錠時に使用される電気錠起動用の操作ボタン、１０はセンサー部である。
【０００４】
公知のように、テンキー入力式、カード宛がい式、指紋照合式等の認証システム用電気錠Ｘの非常時用シリンダ錠８は、認証コードの一致等で作動（解錠）する電気錠（非接触型、接触型を問わない）の主たる錠機構とは別個に設けられている。つまり、該シリンダ錠８は、主に停電等の非常事態が発生した場合に使用される。
【０００５】
付言すると、例えば図１４に示した電気錠Ｘを常態時（普通一般に使用するとき）に解錠する場合には、まず、起動用の操作ボタン９を押し、次に、指をセンサー部１０に置き、指紋照合のステップを経た後にレバーハンドル７を回す。シリンダ錠８は、停電時、電池消耗時等の非常時の場合に使用される。
【０００６】
ところで、図１４で示した取り付け座６では、シリンダ錠８の鍵穴８ａが露呈している。つまり、故意にシリンダ錠８の鍵穴８ａにピン等を差し込むことができる。
【０００７】
そこで、特許文献１が存在する。特許文献１には、取り付け座６にシリンダ錠８をカバーする蓋体を設ける目的が記載されていないものの、蓋体を設ける理由は、視覚上、取り付け座６に主たる錠機構以外に機械的なシリンダ錠８が存在することを隠す意図があり、また、シリンダ錠８の鍵穴８ａを簡単に悪戯されないことも意図している。であるから、「キーレス錠」と称されているこの種の電気錠の取り付け座には、シリンダ錠８をカバーする蓋体を設けるのが望ましく、また、蓋体を設けた場合には、蓋体が簡単に開けられないようにするのが望ましい。
【特許文献１】特許公開平１１−２４１５３３
【発明の開示】
【発明が解決しようとする課題】
【０００８】
本発明の第１の目的は、電気錠における取り付け座、望ましくは、テンキー入力式、カード宛がい式、指紋照合式等の電気錠における取り付け座の開口部に、機械式シリンダ錠の外端面（鍵穴）をカバーする蓋体が設けられている場合に於いて、故意に該蓋体を簡単に開けられないようにすることである。これにより、簡単にシリンダ錠を悪戯されないようにすること（発明の所期の目的である）。
【０００９】
本発明の第２の目的は、停電時、電池消耗時等の非常時の場合に於いて、外部から操作具の挿入端部を取り付け座内に差し込んで、蓋体を常にロックしているロック片のロック状態を解くことである。
【００１０】
本発明の第３の目的は、取り付け座が扉の壁に対して左右勝手に対応することができることである。ここで「左右勝手」とは、戸先側から見て、取り付け座が右側の場合は右勝手、左側の場合は左勝手になることを言う。その他、実施例によってはロック片がスムースに作動することである。
【課題を解決するための手段】
【００１１】
本発明の電気錠用取り付け座は、電気錠における取り付け座の蓋体用開口部にシリンダ錠をカバーする蓋体を備えた電気錠用取り付け座に於いて、前記蓋体用開口部を区画する水平方向の一方の蓋体用案内隔壁に対して所要間隔を有して対向する水平支持壁と、該水平支持壁及び前記蓋体用案内隔壁に直交する左右側壁とから構成された収納部に蓋体と係合する係合部を有するロック片を横方向に内装し、該ロック片はその基端部が前記収納部に横設した支軸に軸支されていると共に、前記係合部が前記水平支持壁に支持された内装バネのバネ力により前記蓋体の水平側壁側の係合部分に係合し、さらに、前記左右側壁の少なくとも一方には、前記ロック片の受け面の位置に対応する操作具用開口部分が形成されていることを特徴とする。
【００１２】
また、本発明の電気錠用取り付け座は、テンキー入力式、カード宛がい式、指紋照合式等の電気錠における取り付け座の開口部にシリンダ錠をカバーする蓋体を備えた電気錠用取り付け座に於いて、取り付け座に蓋体をロックする係合突起を有するロック片を内装し、一方、取り付け座の壁に開口部分を設け、該開口部分に操作具の挿入端部を差し込んでかつ前記ロック片の受け面を押し込むと、前記係合突起はロックを解消する方向へと位置変位することを特徴とする。
【発明の効果】
【００１３】
（ａ）取り付け座の蓋体用開口部にシリンダ錠の端面をカバーするために装着された蓋体に対して、該蓋体を常にロックするロック片を取り付け座に内装したので、故意に該蓋体を簡単に開けられないようにすることができる。したがって、発明の所期の目的を達成することができる（シリンダ錠に対する悪戯防止）。特に、本発明は、主たる錠機構を備えたテンキー入力式、カード宛がい式、指紋照合式等の電気錠の長座にシリンダ錠用蓋体が設けられている場合に適合する。なお、シリンダ錠には、ダミー用のシリンダ錠も含まれる。
（ｂ）停電時、電池消耗時等の非常事態の場合に外部から、ドライバー、ピン等の操作具の挿入端部を取り付け座内に差し込んで、蓋体を常にロックしているロック片のロック状態を解くことができる。
（ｃ）取り付け座の左右の壁に開口部分がそれぞれ形成されている実施例の場合には、取り付け座が扉に対する左右勝手に対応する。
（ｄ）その他、蓋体をスライド方式で開口部に嵌め込んだ場合には、該蓋体はロック片の係合部に自動的に係止される。
【発明を実施するための最良の形態】
【００１４】
以下、図１乃至図１２に示す本発明を実施するための最良の形態（第１実施例）により説明する。なお、図１３は、請求項２に記載の他の実施例を示す概略説明図である。また、本発明の第１実施例の説明にあたって、従来例の図１４で説明した構成部材と同一の部分には、便宜上同一の符号を付す。
【００１５】
（１）発明の実施の環境
図１は発明の実施の環境を示す概略説明図である。図２は蓋体を取付け座から取り外した正面並びに蓋体の概略説明図である。
【００１６】
図１及び図２に於いて、１は扉枠、２は扉、２ａは扉の自由端部側の外壁面、３は扉枠側の受け金具、４は電気錠Ｘ側のデッドボルト、５はラッチ、６は電気錠Ｘ用の取り付け座、７は取付け座６の下端部側に設けられ、軸部７ａと握り部分７ｂを有するＬ型のレバーハンドル、８は取付け座６の中央部に設けられた非常時用シリンダ錠、８ａはシリンダ錠の端面（鍵孔）、１１はシリンダ錠８をカバーするために取付け座６の蓋体用開口部に表側から取り外し可能に嵌め込まれた蓋体、一方、１２は取付け座６の裏側から取付け座６の収納部に取り外し可能に嵌め込まれたロック片である。
【００１７】
なお、電気錠Ｘは、テンキー入力式、カード宛がい式、指紋照合式等照合システムの主たる錠機構を備えているが、本発明の特定事項に関係がないので、割愛している。
【００１８】
（２）取り付け座６と蓋体１１
本実施例の取り付け座６は、図１で示すように、扉外壁面の自由端部側に縦方向に固定された長座である。図１を基準にすると、６ａは電気錠Ｘの主たる錠機構が直接又は他の座を介して間接的（本実施例）に設けられる上端部、一方、６ｂはレバーハンドル７の軸部７ａが取付けられる下端部側、そして、６ｃは平面視矩形状の蓋体１１及びブロック状のロック片１２がそれぞれ装着される中央部側である。
【００１９】
図２及び図４を参照にすると、中央部寄りの部位も含む中央部側６ｃは、図４（ａ）、（ｂ）で示すようにゆるやかな膨出状に形成されている。ここでは、この膨出形成された部分を、「膨出部分１５」という。
【００２０】
しかして、符号１６は、図２で示すように、膨出部分１５の右端部に残された細長状ストッパー壁で、このストッパー壁１６の内側（図面上、左側）には、蓋体１１用の大きい開口部１７が形成されている。
【００２１】
この蓋体用開口部１７は、正面視矩形状に見えるが、実際には、図２、図４、図８で示すように、取り付け座６の中央部側６ｃの左側壁の一部が切欠部分１８となっている。前述したように蓋体用開口部１７からはシリンダ錠８の鍵穴８ａが明確に見える。
【００２２】
また、前記ストッパー壁１６の上下の位置には、蓋体１１の端面の弾性係合爪１９が同時に係脱する被係合部（係合溝、嵌合溝など）２０が形成されている。
【００２３】
したがって、本実施例では、ロック片１２のロック状態が解消した時、蓋体１１に対するワンタッチ操作（蓋体を押圧しながら矢印方向へスライドする態様）で、蓋体１１の弾性係合爪１９を取り付け座６の被係合部２０から外すことができる。
【００２４】
ところで、蓋体１１は、図２、図３で示すように、蓋体用開口部１７にスライド嵌合する表面側の幅広壁（表面側の壁）１１ａと、該幅広外壁１１ａの一端部（図３では左端部）に直交方向或いは折り曲げ状に連設し、かつ、切欠部分１８にぴったりと嵌まり合う側壁（壁）１１ｂと、この側壁１１ｂと直交すると共に、取り付け座６の蓋体用開口部１７を区画する上下の案内隔壁１７ａ、１７ａに対して摺接する上下一組の水平側壁側の内壁１１ｃと、前記幅広壁１１ａの差込み端面に突出形成された上下一対の弾性係合爪１９とから成り、さらに、前記幅広壁１１ａに直交方向に連設する内壁１１ｃには、図３で示すように、係合部分（例えば突起）２７が形成されている。
【００２５】
さらに、図６及び図７を参照にして、取り付け座６と蓋体１１の要部について説明する。図６及び図７は、取り付け座６に蓋体１１を装着した状態で裏側から見た説明図であるが、これらの図から明らかなように、蓋体１１が取り付け座６の蓋体用開口部１７に係止状態に嵌め込まれると、貫通状態の蓋体用開口部１７は閉じられる。
【００２６】
そして、本実施例では、蓋体用開口部１７の下位に、前述した下方の案内隔壁１７ａを介してロック片１２用凹所（収納部）２２が形成されている。
【００２７】
ところで、前記ロック片用凹所２２は、例えば下方の案内隔壁１７ａと、この案内隔壁１７ａと所要間隔を有して対向する内装バネ２３用の水平支持壁１７ｂと、中央部側６ｃの左右側壁１７ｃ、１７ｃとから構成され、前記左右側壁（取り付け座の壁）１７ｃ、１７ｃには、次に説明するロック片１２の左右の受け面の位置にそれぞれ対応して、一組の操作具用開口部分（例えば小切欠、小孔など）２４，２４が形成されている。
【００２８】
また、本実施例では、凹所２２の中央部にロック片１２の移動量を規制する支持軸状の内部突起２５が設けられている。したがって、内部突起２５はロック片１２に対してストッパーの機能を発揮する。また凹所２２の隅角部にはロック片１２用の支軸２６が設けられている。
【００２９】
さらに、蓋体１１の下方の水平側壁側の内壁１１ｃには、ロック片１２に係止される係合面（段差、切欠等）２７が形成されている。なお、図６は、ロック片１２の係合部（係合突起）３３が蓋体の係合部分（突起、係合溝、係合切欠等）２７に係合しているロック状態、図７は、前記ロック状態が解消した状態を示す。
【００３０】
（３）本発明の主要部−ロック片
ロック片１２の一例を示す具体的構成は、図６乃至図１２で示す通りである。ロック片１２は、凹所２２の形状に適合するように、例えば横長ブロック状に形成され、かつ、支軸２６用の軸孔、内装バネ２３の上端部を受けるバネ端支持部、蓋体１１の水平側壁側の係合部分（突起の係合面）２７に係合する係合突起、操作具４０のピン状挿入端部が当たる左右の傾斜状、垂直状等の受け面、さらに、内部突起２５と遊嵌合する規制孔３６を有している。
【００３１】
すなわち、３１は左端部（図８では左端部）に形成された軸孔、３２は右端部（図８では右端部）寄りの下部に下向きに形成された内装バネ２３の上端部を受けるバネ端支持部、一方、３３はバネ端支持部３２の上方に山形状に突出形成され、かつ、蓋体１１の係合部分２７に係合する係合突起、３４、３５は操作具４０のピン状挿入端部が当たる左右の受け面、そして、３６は内部突起２５と遊嵌合するやや長孔状の規制孔である。なお、前記左右の受け面３４、３５は、本実施例では、一方の受け面３４は垂直状であるのに対して、他方の受け面３５は傾斜状である。
【００３２】
（４）主な作用
図６及び図７は、説明の便宜上、取り付け座６の壁の左右の開口部分２４，２４に操作具４０のピン状挿入端部をそれぞれ差し込んだ状態（図６）と、操作具４０の挿入端部でロック片１２の受け面３４、３５をそれぞれ押し込んだ場合（図７）を示している。もちろん、取り付け座６の開口部分２４は、単数でも良いが、本実施例では、取り付け座６が扉２の左右勝手に対応することを考慮している。
【００３３】
さて、図７で示すように、開口部分２４に操作具４０の挿入端部を差し込んでロック片１２の受け面３４、３５をそれぞれ押し込むと、ロック片１２の係合部（係合突起）３３はロックを解消する方向へと位置変位する。付言すると、図７では、ロック片１２は内装バネ２３のバネ力に抗して支軸２６を支点に矢印で示す反時計方向に所要量回転する。
【００３４】
なお、内装バネ２３は、ロック片１２の係合部３３が蓋体１１の被係合部としての係合部分２７に係合するように常時付勢していることから、蓋体１１をスライド方式で開口部１７に嵌め込んだ場合には、該蓋体１１はロック片１２の係合部３３に自動的に係止される。
【実施例】
【００３５】
発明の実施の形態で示した実施例に於いて、電気錠Ｘは、テンキー入力式、カード宛がい式、指紋照合式等照合システムの主たる錠機構を備えている旨を説明したが、本発明の適用対象となる電気錠Ｘには、例えば当業者に「キーレス錠」と呼ばれるものは全て含まれる。
【００３６】
また、蓋体１１とロック片のロック構成については、単数又は複数個の係合突起、係合突起が係合する単数又は複数個の係合切欠、突条、突条に係合する長溝、波状など任意に設計変更可能である。
【００３７】
また、操作具４０の挿入端部を差し込むことができる開口部分２４は、左右に形成されているが、望ましくは、レバーハンドル７の握り部分側に位置する側壁（図１を基準にすると、取り付け座６の右側壁１７ｃ）に一つ形成されていれば良い。また、開口部分２４の形成箇所は、取り付け座６の右側壁或いは左側壁に限定するものではなく、ロック片１２の受け面の位置如何によっては、取り付け座の表面側の壁に形成しても良い。
【００３８】
すなわち、図１３で示すように、例えばロック片１２Ａの正面側に傾斜状の受け面３５Ａを形成すると、これに対応して、取付け座６Ａの中央部分６ｃの表面（扉の外壁面側）に、操作具４０のピン状挿入端部が入り込む小孔状の開口部分２４Ａを形成する。
【００３９】
このように、取り付け座６の側壁、表面等に開口部分２４、２４Ａを設ける事項のみならず、その形成箇所や個数は、あくまでも任意的事項であり、本発明の本質的事項は、「電気錠における取り付け座の開口部にシリンダ錠をカバーする蓋体を備えた電気錠用取り付け座に於いて、取り付け座に形成した収納部に蓋体と係合する係合部を有するロック片を内装したこと」であるから、停電時、電池消耗時等の非常時の場合には、ドライバー等の工具を用いて蓋体を抉じ開け、しかる後に、ロック片のロックを工具又は指で解消しても良い。
【産業上の利用可能性】
【００４０】
本発明は、主に錠前、建具の業界で利用される。
【図面の簡単な説明】
【００４１】
図１乃至図１２は本発明の最良の実施例を示す各説明図。図１３は本発明の要部の設計変更例を示す概略説明図。図１４は従来例の環境を示す概略説明図。
【図１】発明の実施の環境を示す概略説明図。
【図２】蓋体を取付け座から取り外した正面からの説明図。
【図３】図２に示した蓋体の３−３線の概略断面説明図。
【図４】図４の（ａ）、（ｂ）は、取り付け座の左側面図と蓋体の説明図。
【図５】取り付け座から蓋体を外した概略縦断面説明図。
【図６】取り付け座に蓋体を装着した状態で裏側から見た説明図（操作具を差し込む）。
【図７】取り付け座に蓋体を装着した状態で裏側から見た説明図（操作具を押し込む）。
【図８】ロック片の概略断面説明図。
【図９】図８を基準にした右側面図。
【図１０】図８の１０−１０線断面図。
【図１１】図８の１１−１１線断面図。
【図１２】図８の１２−１２線断面図。
【図１３】本発明の要部の設計変更例を示す概略説明図。
【図１４】従来の電気錠Ｘにおける取付け座の環境例を示す概略説明図。
【符号の説明】
【００４２】
Ｘ…電気錠、１…扉枠、２…扉、３…受け金具、６，６Ａ…取り付け座、７…レバーハンドル、８…非常時用シリンダ錠、１１…蓋体、１１ａ…幅広壁、１１ｂ…側壁、１１ｃ…水平の内壁、１２，１２Ａ…ロック片、１５…膨出部分、１６…ストッパー壁、１７…蓋体用開口部、１７ａ…上下の案内隔壁、１７ｂ…水平支持壁、１７ｃ…左右の側壁、１８…切欠部分、１９…弾性係合爪、２０…被係合部、２２…ロック片用凹所（収納部）、２３…内装バネ、２４，２４Ａ…操作具用開口部分、２５…内部突起、２６…支軸、２７…係合面（係合部分）、３１…軸孔、３２…バネ端支持部、３３…係合突起（係合部）、３４，３５，３５Ａ…左右の受け面、３６…規制孔、４０…操作具。
【図１】
0004838037.tif 000002
【図２】
0004838037.tif 000003
【図３】
0004838037.tif 000004
【図４】
0004838037.tif 000005
【図５】
0004838037.tif 000006
【図６】
0004838037.tif 000007
【図７】
0004838037.tif 000008
【図８】
0004838037.tif 000009
【図９】
0004838037.tif 000010
【図１０】
0004838037.tif 000011
【図１１】
0004838037.tif 000012
【図１２】
0004838037.tif 000013
【図１３】
0004838037.tif 000014
【図１４】
0004838037.tif 000015